(57)【要約】【課題】操作が不慣れなユーザであっても、操作を簡単に行うことができる電気機器を提供する。【解決手段】外部ファームウェアが選択されたと判定されたとき、外部ファームウェアが有るか無いかが判定される。外部ファームウェアが有ると判定されたときは、外部ファームウェアを使用するように設定され、外部ファームウェアがリセットされる。この後、前記選択されたファームウェアは外部ファームウェアであるか否かが判定される。前記選択されたファームウェアが外部ファームウェアであると判定されたとき、現在の動作対象のファームウェアが内部ファームウェアであれば、動作対象のファームウェアを内部ファームウェアから外部ファームウェアに切り換えられる。これにより、簡易な内容で機能の操作内容をディスプレイ装置に表示できる。【選択図】図５
2008262254.tif 000002
【特許請求の範囲】
【請求項１】
操作に関する情報や機能に関する情報をディスプレイ装置に表示させる表示機能を備えると共に、外部メモリを接続することが可能な外部メモリ接続手段を備えた電気機器において、
内部メモリには通常の内部ファームウェアを記憶しておき、外部メモリには機能を簡略化したバージョンの外部ファームウェアを記憶しておき、外部メモリが外部メモリ接続手段により接続されている場合に、ユーザ操作により、内部ファームウェアから外部ファームウェアに切り換えられた場合、外部ファームウェアの処理により簡易な内容で機能の操作内容をディスプレイ装置に表示させるように構成したことを特徴とする電気機器。
【請求項２】
設定画面に表示された項目で外部ファームウェアが選択されたか内部ファームウェアが選択されたかを判定するファームウェア選択判定手段と、
前記外部ファームウェアが選択されたと判定されたとき、外部メモリ接続手段により外部メモリが接続されており外部ファームウェアが有るか無いかを判定する外部ファームウェア有無判定手段と、
外部ファームウェアが有ると判定されたとき、外部ファームウェアを使用するように設定する外部ファームウェア使用設定手段と、
外部ファームウェアを使用するように設定されたとき、外部ファームウェアをリセットするリセット手段と、
外部ファームウェアがリセットされた後、前記選択されたファームウェアは外部ファームウェアであるか内部ファームウェアであるかを判定する選択ファームウェア判定手段と、
前記選択されたファームウェアが外部ファームウェアであると判定されたとき、現在の動作対象のファームウェアが内部ファームウェアであれば、動作対象のファームウェアを内部ファームウェアから外部ファームウェアに切り換えるファームウェア切換手段とを有し、
前記切り換えられた外部ファームウェアの処理により簡易な内容で機能の操作内容をディスプレイ装置に表示させるように構成したことを特徴とする請求項１に記載の電気機器。
【請求項３】
設定画面に表示された項目で外部ファームウェアが選択されたか内部ファームウェアが選択されたかを判定するファームウェア選択判定手段と、
前記外部ファームウェアが選択されたと判定されたとき、外部メモリ接続手段により外部メモリが接続されており外部ファームウェアが有るか無いかを判定する外部ファームウェア有無判定手段と、
外部ファームウェアが有ると判定されたとき、外部ファームウェアを使用するように設定する外部ファームウェア使用設定手段と、
前記設定画面に表示された項目で内部ファームウェアが選択されたと判定されたとき、あるいは前記外部ファームウェアが無いと判定されたとき、内部ファームウェアを使用するように設定する内部ファームウェア使用設定手段と、
外部ファームウェアを使用するように設定されたとき、あるいは内部ファームウェアを使用するように設定されたとき、外部ファームウェアあるいは内部ファームウェアをリセットするリセット手段と、
外部ファームウェアあるいは内部ファームウェアがリセットされた後、前記選択されたファームウェアは外部ファームウェアであるか内部ファームウェアであるかを判定する選択ファームウェア判定手段と、
前記選択されたファームウェアが外部ファームウェアであると判定されたとき、現在の動作対象のファームウェアが内部ファームウェアであれば、動作対象のファームウェアを内部ファームウェアから外部ファームウェアに切り換え、前記選択されたファームウェアが内部ファームウェアであると判定されたとき、現在の動作対象のファームウェアが外部ファームウェアであれば、動作対象のファームウェアを外部ファームウェアから内部ファームウェアに切り換えるファームウェア切換手段とを有し、
前記切り換えられた内部ファームウェアの処理により通常の内容で機能の操作内容をディスプレイ装置に表示させ、
前記切り換えられた外部ファームウェアの処理により簡易な内容で機能の操作内容をディスプレイ装置に表示させるように構成したことを特徴とする請求項１に記載の電気機器。
【発明の詳細な説明】
【技術分野】
【０００１】
本発明は、操作に関する情報や機能に関する情報をディスプレイ装置に表示させる表示機能を備えると共に、外部メモリを接続することが可能な外部メモリ接続手段を備えた電気機器に関し、特に、内部ファームウェアと外部ファームウェアとを切り換えることができるファームウェア切換機能に関する。
【背景技術】
【０００２】
従来から知られているように、ＤＶＤレコーダやハードディスクレコーダなどのような情報記録再生装置では様々な機能が備えられている。例えば、編集機能としては、ＤＶＤやハードディスクに記録されたタイトルをチャプターに分割するチャプター分割機能、チャプターを結合するチャプター結合機能、タイトルに名前を設定するタイトル設定機能、サムネイル画像を設定するサムネイル設定機能、詳細な内容を設定する詳細設定機能などがある。したがって、編集機能を表示した場合、例えば、図３に示すような編集機能画面になる。
【特許文献１】特開平１０−１２４２２５号公報
【特許文献２】特開２００１−３２６９０９号公報
【特許文献３】特開２００６−３５２４６３号公報
【発明の開示】
【発明が解決しようとする課題】
【０００３】
しかし、その編集機能画面を見て操作を行う人が、お年寄りなど複雑な操作が分からないユーザであった場合、例えば、図３に示すような編集機能画面の項目「チャプター分割」「チャプター結合」「タイトル設定」などを見ても、どのような処理が行われるかが分かり辛く、操作が不慣れなユーザにとっては使い勝手が劣ると言う課題があった。
【０００４】
なお、特許文献１の従来技術は、キーボードコントローラの動作変更に関するものであり、電源起動時に、外部メモリからファームウェアを読み出して実行コードエリアにコピーし、実行コードエリアにコピーされたファームウェアを実行する。即ち、この従来技術は、内部ファームウェアの変更を外部ファームウェアに置き換えることで、操作内容を変えるものであり、外部ファームウェアの処理により簡易な内容で機能の操作内容をディスプレイ装置に表示できるようにしたものでない。
【０００５】
特許文献２の従来技術は、ユーザがクイックボタンを押すと、それに応答して、その時点でユーザ操作が可能なものに絞られる操作項目が表示されるようになっているが、外部ファームウェアの処理により簡易な内容で機能の操作内容をディスプレイ装置に表示できるようにしたものでない。
【０００６】
特許文献３の従来技術は、視聴者に合わせた最適化されたコンテンツの出力を行うものであり、この従来技術も、外部ファームウェアの処理により簡易な内容で機能の操作内容をディスプレイ装置に表示できるようにしたものでない。
【０００７】
本発明は、上記のような課題を解決するためになされたもので、操作が不慣れなユーザであっても、操作を簡単に行うことができる電気機器を提供することを目的とする。
【課題を解決するための手段】
【０００８】
上記目的を達成するために、請求項１の発明は、操作に関する情報や機能に関する情報をディスプレイ装置に表示させる表示機能を備えると共に、外部メモリを接続することが可能な外部メモリ接続手段を備えた電気機器において、内部メモリには通常の内部ファームウェアを記憶しておき、外部メモリには機能を簡略化したバージョンの外部ファームウェアを記憶しておき、外部メモリが外部メモリ接続手段により接続されている場合に、ユーザ操作により、内部ファームウェアから外部ファームウェアに切り換えられた場合、外部ファームウェアの処理により簡易な内容で機能の操作内容をディスプレイ装置に表示させるように構成したことを特徴とする電気機器を提供する。
【０００９】
この構成において、外部メモリが外部メモリ接続手段により接続されている場合に、ユーザ操作により、内部ファームウェアから外部ファームウェアに切り換えられた場合、外部ファームウェアの処理により簡易な内容で機能の操作内容がディスプレイ装置に表示される。
【００１０】
この構成によれば、通常は内部メモリのファームウェアで使用するが、お年寄りなどのように複雑な操作が分からず、操作に不慣れなユーザが使いたい時だけ一時的に外部メモリのファームウェアを使用するように、ファームウェアの設定を切り換えることができ、これにより、外部ファームウェアの処理により簡易な内容で機能の操作内容をディスプレイ装置に表示でき、したがって、操作が不慣れなユーザであっても、操作を簡単に行うことができ、ユーザの使い勝手が向上する。
【００１１】
請求項２の発明では、請求項１の発明において、設定画面に表示された項目で外部ファームウェアが選択されたか内部ファームウェアが選択されたかを判定するファームウェア選択判定手段と、前記外部ファームウェアが選択されたと判定されたとき、外部メモリ接続手段により外部メモリが接続されており外部ファームウェアが有るか無いかを判定する外部ファームウェア有無判定手段と、外部ファームウェアが有ると判定されたとき、外部ファームウェアを使用するように設定する外部ファームウェア使用設定手段と、外部ファームウェアを使用するように設定されたとき、外部ファームウェアをリセットするリセット手段と、外部ファームウェアがリセットされた後、前記選択されたファームウェアは外部ファームウェアであるか内部ファームウェアであるかを判定する選択ファームウェア判定手段と、前記選択されたファームウェアが外部ファームウェアであると判定されたとき、現在の動作対象のファームウェアが内部ファームウェアであれば、動作対象のファームウェアを内部ファームウェアから外部ファームウェアに切り換えるファームウェア切換手段とを有し、前記切り換えられた外部ファームウェアの処理により簡易な内容で機能の操作内容をディスプレイ装置に表示させるように構成したことを特徴とする。
【００１２】
この構成においては、外部ファームウェアが選択されたと判定されたとき、外部ファームウェアが有るか無いかが判定される。外部ファームウェアが有ると判定されたときは、外部ファームウェアを使用するように設定される。外部ファームウェアを使用するように設定されたとき、外部ファームウェアがリセットされる。この後、前記選択されたファームウェアは外部ファームウェアであるか、内部ファームウェアであるかが判定される。前記選択されたファームウェアが外部ファームウェアであると判定されたとき、現在の動作対象のファームウェアが内部ファームウェアであれば、動作対象のファームウェアを内部ファームウェアから外部ファームウェアに切り換えられる。
【００１３】
したがって、この構成によれば、通常は内部メモリの内部ファームウェアで使用するが、お年寄りなどのように複雑な操作が分からず、操作に不慣れなユーザが使いたい時だけ一時的に外部メモリの外部ファームウェアを使用することができるように、ファームウェアの設定を内部ファームウェアから外部ファームウェアに切り換えることが可能になる。
【００１４】
請求項３の発明では、請求項１の発明において、設定画面に表示された項目で外部ファームウェアが選択されたか内部ファームウェアが選択されたかを判定するファームウェア選択判定手段と、前記外部ファームウェアが選択されたと判定されたとき、外部メモリ接続手段により外部メモリが接続されており外部ファームウェアが有るか無いかを判定する外部ファームウェア有無判定手段と、外部ファームウェアが有ると判定されたとき、外部ファームウェアを使用するように設定する外部ファームウェア使用設定手段と、前記設定画面に表示された項目で内部ファームウェアが選択されたと判定されたとき、あるいは前記外部ファームウェアが無いと判定されたとき、内部ファームウェアを使用するように設定する内部ファームウェア使用設定手段と、外部ファームウェアを使用するように設定されたとき、あるいは内部ファームウェアを使用するように設定されたとき、外部ファームウェアあるいは内部ファームウェアをリセットするリセット手段と、外部ファームウェアあるいは内部ファームウェアがリセットされた後、前記選択されたファームウェアは外部ファームウェアであるか内部ファームウェアであるかを判定する選択ファームウェア判定手段と、前記選択されたファームウェアが外部ファームウェアであると判定されたとき、現在の動作対象のファームウェアが内部ファームウェアであれば、動作対象のファームウェアを内部ファームウェアから外部ファームウェアに切り換え、前記選択されたファームウェアが内部ファームウェアであると判定されたとき、現在の動作対象のファームウェアが外部ファームウェアであれば、動作対象のファームウェアを外部ファームウェアから内部ファームウェアに切り換えるファームウェア切換手段とを有し、前記切り換えられた内部ファームウェアの処理により通常の内容で機能の操作内容をディスプレイ装置に表示させ、前記切り換えられた外部ファームウェアの処理により簡易な内容で機能の操作内容をディスプレイ装置に表示させるように構成したことを特徴とする。
【００１５】
この構成においては、外部ファームウェアが選択されたと判定されたとき、外部ファームウェアが有るか無いかが判定される。前記外部ファームウェアが無いと判定されたときは、外部ファームウェアを取り出すことができないので、内部ファームウェアを使用するように設定されるが、外部ファームウェアが有ると判定されたときは、外部ファームウェアを使用するように設定される。
【００１６】
外部ファームウェアを使用するように設定されたとき、外部ファームウェアがリセットされる。この後、前記選択されたファームウェアは外部ファームウェアであるか、内部ファームウェアであるかが判定される。前記選択されたファームウェアが外部ファームウェアであると判定されたとき、現在の動作対象のファームウェアが内部ファームウェアであれば、動作対象のファームウェアを内部ファームウェアから外部ファームウェアに切り換えられる。
【００１７】
したがって、この構成によれば、通常は内部メモリの内部ファームウェアで使用するが、お年寄りなどのように複雑な操作が分からず、操作に不慣れなユーザが使いたい時だけ一時的に外部メモリの外部ファームウェアを使用することができるように、ファームウェアの設定を内部ファームウェアから外部ファームウェアに切り換えることが可能になる。
【発明の効果】
【００１８】
以上のように本発明によれば、操作に関する情報や機能に関する情報をディスプレイ装置に表示させる表示機能を備えると共に、外部メモリを接続することが可能な外部メモリ接続手段を備えた電気機器において、内部メモリには通常の内部ファームウェアを記憶しておき、外部メモリには機能を簡略化したバージョンの外部ファームウェアを記憶しておき、外部メモリが外部メモリ接続手段により接続されている場合に、ユーザ操作により、内部ファームウェアから外部ファームウェアに切り換えられた場合、外部ファームウェアの処理により簡易な内容で機能の操作内容をディスプレイ装置に表示させるように構成したので、通常は内部メモリのファームウェアで使用するが、お年寄りなどのように複雑な操作が分からず、操作に不慣れなユーザが使いたい時だけ一時的に外部メモリのファームウェアを使用するように、ファームウェアの設定を切り換えることができ、これにより、外部ファームウェアの処理により簡易な内容で機能の操作内容をディスプレイ装置に表示でき、したがって、操作が不慣れなユーザであっても、操作を簡単に行うことができ、ユーザの使い勝手が向上する。
【発明を実施するための最良の形態】
【００１９】
以下、添付図面を参照しつつ、本発明の実施の形態について説明する。図１は本発明の一実施形態に係る電気機器の特徴とする構成を概略的に説明するためのブロック図である。図１において、電気機器１００は、機器全体を制御するための内部ファームウェアなどが記憶された内部メモリとしての内部ＲＯＭ１０１と、機能を簡略化したバージョンの外部ファームウェアが記憶された外部メモリとしての外部ＲＯＭ１０３を接続するＵＳＢ（Universal Serial Bus）を有する外部メモリ接続手段としての外部メモリスロット１０２とを含み構成されている。１０４は電気機器１００の内部ＲＯＭ１０１に記憶されている内部ファームウェアの処理によりディスプレイ装置に表示された通常の機能表示画面である。
【００２０】
１０５は電気機器１００の外部ＲＯＭ１０３に記憶されている外部ファームウェアの処理によりディスプレイ装置に表示された簡略化した機能表示画面である。機能表示画面１０４，１０５が例えば編集機能画面であれば、機能表示画面１０４の項目１０６に「チャプター分割」が表示されていれば、設定ファームウェアを内部ファームウェアから外部ファームウェアに切り換えると、機能表示画面１０４から機能表示画面１０５に切り換えられ、機能表示画面１０５の項目１０７に、お年寄りなど複雑な操作が分からないユーザでも分かり易くするように、タイトルを分けることを意味する「わける」が表示されることになる。
【００２１】
図２は本発明の一実施形態に係る電気機器としての情報記録再生装置の構成を示すブロック図である。なお、ここでは、電気機器としてＤＶＤレコーダやハードディスクレコーダなどのような情報記録再生装置について説明するが、操作に関する情報や機能に関する情報をディスプレイ装置に表示させる表示機能を備えると共に、外部メモリを接続することが可能な外部メモリ接続手段を備えた電気機器であれば、何れでも良い。
【００２２】
図２において、情報記録再生装置Ａは、アンテナ１を介してテレビ放送電波を受信して選局したテレビ放送局のチャンネルのＲＦ信号を取り出してＩＦ信号（中間周波信号）に変換するチューナ２と、このチューナ２からのＩＦ信号を増幅する映像中間周波増幅回路３と、この映像中間周波増幅回路３からのＩＦ信号から映像信号を取り出す映像検波回路４と、この映像検波回路４から出力された映像信号を圧縮処理して映像データとして記録媒体（光ディスクまたはハードディスク）６に記録させると共に記録媒体６に記録された映像データを再生し伸張処理して映像信号と出力させる記録再生部５と、映像検波回路４からの映像信号または記録再生部５からの映像信号を入力してディスプレイ装置８で映像が表示できるように表示用映像信号に変換する処理を行う映像信号処理回路７とを備えている。
【００２３】
また、情報記録再生装置Ａは、装置全体を制御する制御部９と、ユーザにより操作されたリモコン１４からの赤外線の操作信号を受光して電気信号の操作信号に変換し制御部９のＣＰＵ１２に入力する受光部１３と、ディスプレイ装置８にＯＳＤ表示させる文字を生成する文字生成部１５とを備えている。なお、ここでは、音声系の回路は図示を省略している。
【００２４】
制御部９は、内部ＲＯＭ１０とＲＡＭ１１とＣＰＵ１２とを含み構成されている。ＣＰＵ１２は、映像中間周波増幅回路３からの受信チャンネルデータと内部ＲＯＭ１０に予め記憶されているチャンネルプランデータとの比較を行う比較手段を有する。また、ＣＰＵ１２は、チューナ２および文字生成部１５を制御する。内部ＲＯＭ１０は、複数のチャンネルプランデータと、これらの複数のチャンネルプランデータにそれぞれ対応するＯＳＤ用の複数の言語による文字表示データとを記憶している。なお、チャンネルプランデータは、当該国や当該地域で放送されるチャンネルを網羅し、かつ、各チャンネル毎に異なる複数の放送局の周波数データについて、低周波数から高周波数の順にセットしたものである。
【００２５】
文字生成部１５は、文字生成制御回路１６とビデオＲＡＭ１７とフォントＲＯＭ１８などを備えており、制御部９からの指令信号に従って映像信号処理回路７に文字表示の信号を出力する構成されている。文字生成制御回路１６は、ディスプレイ装置８の画面上で表示すべき文字フォントを表示する位置、サイズ、カラーなどを制御すると共に、フォントＲＯＭ１８からビデオＲＡＭ１７に文字データを転送し、文字信号として映像信号処理回路７に出力する。
【００２６】
ディスプレイ装置８の画面に文字を表示させる際は、制御部９のＣＰＵ１２が内部ＲＯＭ１０から調節用の表示データをＲＡＭ１１に転送し、次いで、ＲＡＭ１１のデータを文字生成部１５の文字生成制御回路１６に出力する。文字生成制御回路１６は、ＲＡＭ１１からのデータを受けて、フォントＲＯＭ１８より文字フォントをビデオＲＡＭ１７に転送し、ビデオＲＡＭ１７のデータを文字表示用の信号として映像信号処理回路７に出力する。これにより、映像信号処理回路７は、前記文字表示用の信号を受けて、ディスプレイ装置８の画面に、自動選択された言語で文字を表示させることができる。
【００２７】
ＣＰＵ１２は、設定画面に表示された項目で外部ファームウェアが選択されたか内部ファームウェアが選択されたかを判定するファームウェア選択判定手段と、前記外部ファームウェアが選択されたと判定されたとき、ＵＳＢ（Universal Serial Bus）などを有する外部メモリスロット２０によりＳＤ（Secure Digital）メモリカードなどの外部ＲＯＭ（外部メモリ）１９が接続されており、外部ファームウェアが有るか無いかを判定する外部ファームウェア有無判定手段と、外部ファームウェアが有ると判定されたとき、外部ファームウェアを使用するように設定する外部ファームウェア使用設定手段と、前記設定画面に表示された項目で内部ファームウェアが選択されたと判定されたとき、あるいは前記外部ファームウェアが無いと判定されたとき、内部ファームウェアを使用するように設定する内部ファームウェア使用設定手段とを有する。
【００２８】
また、ＣＰＵ１２は、外部ファームウェアを使用するように設定されたとき、あるいは内部ファームウェアを使用するように設定されたとき、外部ファームウェアあるいは内部ファームウェアをリセットするリセット手段と、外部ファームウェアあるいは内部ファームウェアがリセットされた後、前記選択されたファームウェアは外部ファームウェアであるか内部ファームウェアであるかを判定する選択ファームウェア判定手段と、前記選択されたファームウェアが外部ファームウェアであると判定されたとき、現在の動作対象のファームウェアが内部ファームウェアであれば、動作対象のファームウェアを内部ファームウェアから外部ファームウェアに切り換え、前記選択されたファームウェアが内部ファームウェアであると判定されたとき、現在の動作対象のファームウェアが外部ファームウェアであれば、動作対象のファームウェアを外部ファームウェアから内部ファームウェアに切り換えるファームウェア切換手段とを有する。
【００２９】
図３は本実施形態において内部ファームウェアの処理によりディスプレイ装置に表示された通常の編集機能画面の一例を示す図である。図３において、編集機能画面３１には、編集機能３２、ＤＶＤやハードディスクに記録されたタイトルをチャプターに分割する「チャプター分割」３３、チャプターを結合する「チャプター結合」３４、タイトルに名前を設定する「タイトル設定」３５、サムネイル画像を設定する「サムネイル設定」３６、詳細な内容を設定する「詳細設定」３７などの項目が表示されている。
【００３０】
図４は本実施形態において外部ファームウェアの処理によりディスプレイ装置に表示された簡略化した編集機能画面の一例を示す図である。図４において、編集機能画面４１には、編集機能４２、ＤＶＤやハードディスクに記録されたタイトルをチャプターに分割するチャプター分割の意味を示す「わける」４３、チャプターを結合するチャプター結合の意味を示す「つなげる」４４、タイトルに名前を設定するタイトル設定の意味を示す「名前をつける」４５などの項目が表示されている。
【００３１】
図５は、本実施形態において内部ファームウェアから外部ファームウェアに、外部ファームウェアから内部ファームウェアに、それぞれ切り換える処理を説明するためのフローチャートである。このフローチャートおよび図１〜図４を参照して、内部ファームウェアから外部ファームウェアに、外部ファームウェアから内部ファームウェアに、それぞれ切り換える処理について説明する。
【００３２】
先ず、ユーザは、リモコン１４により設定画面を表示させるための操作を行うと、制御部９のＣＰＵ１２は、設定画面の表示の指示がされたことを検知し（ステップＳ１）、内部ＲＯＭ１０から設定画面データを読み出し、文字生成部１５でＯＳＤ処理して、映像信号処理回路７で設定画面を表示させるための映像信号に変換し、この映像信号をディスプレイ装置８に供給することにより、ディスプレイ装置８には、設定画面が表示される（ステップＳ２）。
【００３３】
ここで、ユーザは、ディスプレイ装置８に表示された設定画面を見て、リモコン１４を操作して、機能表示画面の表示処理に使用したいファームウェアを選択する。通常は内部ファームウェア（内部Ｆ／Ｗ）に選択されている。このような状態とき、制御部９におけるＣＰＵ１２のファームウェア選択判定手段は、外部ファームウェア（外部Ｆ／Ｗ）が選択されたか、内部ファームウェア（内部Ｆ／Ｗ）が選択されたかを判定する（ステップＳ３）。
【００３４】
ＣＰＵ１２の外部ファームウェア有無判定手段は、外部ファームウェア（外部Ｆ／Ｗ）が選択されたと判定されたとき、外部ＲＯＭ１９をアクセスし、外部メモリスロット２０により外部ＲＯＭ１９がＣＰＵ１２と接続されていることを検知し、機能表示の簡略化したバージョンの該当する外部ファームウェア（外部Ｆ／Ｗ）が有るか無いかを判定する（ステップＳ４）。
【００３５】
前記外部ファームウェア（外部Ｆ／Ｗ）が無いと判定されたときは、外部ファームウェア（外部Ｆ／Ｗ）を取り出すことができないので、ＣＰＵ１２の内部ファームウェア（内部Ｆ／Ｗ）使用設定手段は、内部ファームウェア（内部Ｆ／Ｗ）を使用するように設定するが（ステップＳ６）、外部ファームウェア（外部Ｆ／Ｗ）が有ると判定されたときは、ＣＰＵ１２の外部ファームウェア使用設定手段は、外部ファームウェア（外部Ｆ／Ｗ）を使用するように設定する（ステップＳ５）。
【００３６】
外部ファームウェア（外部Ｆ／Ｗ）を使用するように設定されたとき、ＣＰＵ１２のリセット手段は、外部ＲＯＭ１９に対してリセット信号を出力し、外部ファームウェア（外部Ｆ／Ｗ）をリセットする（ステップＳ７）。この後、ＣＰＵ１２の選択ファームウェア判定手段は、前記選択されたファームウェアは外部ファームウェア（外部Ｆ／Ｗ）であるか内部ファームウェア（内部Ｆ／Ｗ）であるかを判定する（ステップＳ９）。
【００３７】
前記選択されたファームウェアが外部ファームウェア（外部Ｆ／Ｗ）であると判定されたとき、現在の動作対象のファームウェアが内部ファームウェアであれば（ステップＳ９）、ＣＰＵ１２のファームウェア切換手段は、動作対象のファームウェアを内部ファームウェア（内部Ｆ／Ｗ）から外部ファームウェア（外部Ｆ／Ｗ）に切り換える（ステップＳ１０）。
【００３８】
なお、ステップＳ９において、現在の動作対象のファームウェアが外部ファームウェア（外部Ｆ／Ｗ）であると判定されたときは、外部ファームウェア（外部Ｆ／Ｗ）に設定されたままである（ステップＳ１１）。また、ステップＳ８において、選択されたファームウェアが内部ファームウェア（内部Ｆ／Ｗ）であると判定されたときは、現在の動作対象のファームウェアが内部ファームウェア（内部Ｆ／Ｗ）であれば（ステップＳ１２）、内部ファームウェア（内部Ｆ／Ｗ）に設定されたままであるが（ステップＳ１３）、現在の動作対象のファームウェアが外部ファームウェア（外部Ｆ／Ｗ）であれば（ステップＳ１２）、外部ファームウェア（外部Ｆ／Ｗ）から内部ファームウェア（内部Ｆ／Ｗ）に切り換えられる（ステップＳ１４）。
【００３９】
以上説明したように本実施形態によれば、通常は内部ＲＯＭ１０の内部ファームウェアで使用するが、お年寄りなどのように複雑な操作が分からず、操作に不慣れなユーザが使いたい時だけ一時的に外部ＲＯＭ１９の外部ファームウェアを使用することができるように、ファームウェアの設定を、内部ＲＯＭ１０の内部ファームウェアから外部ＲＯＭ１９の外部ファームウェアに切り換えることができ、これにより、外部ファームウェアの処理により簡易な内容で機能の操作内容をディスプレイ装置８に表示でき、したがって、操作が不慣れなユーザであっても、操作を簡単に行うことができ、ユーザの使い勝手が向上する。
【産業上の利用可能性】
【００４０】
本発明は、操作に関する情報や機能に関する情報をディスプレイ装置に表示させる表示機能を備えると共に、外部メモリを接続することが可能な外部メモリ接続手段を備えた電気機器に利用可能であり、操作が不慣れなユーザであっても、操作を簡単に行うことができるようになる。
【図面の簡単な説明】
【００４１】
【図１】本発明の一実施形態に係る電気機器の特徴とする構成を概略的に説明するためのブロック図である。
【図２】本発明の一実施形態に係る電気機器としての情報記録再生装置の構成を示すブロック図である。
【図３】前記実施形態において内部ファームウェアの処理によりディスプレイ装置に表示された通常の編集機能画面の一例を示す図である。
【図４】前記実施形態において外部ファームウェアの処理によりディスプレイ装置に表示された簡略化した編集機能画面の一例を示す図である。
【図５】前記実施形態において、内部ファームウェアから外部ファームウェアに、外部ファームウェアから内部ファームウェアに、それぞれ切り換える処理を説明するためのフローチャートである。
【符号の説明】
【００４２】
Ａ    情報記録再生装置（電気機器）
８    ディスプレイ装置
１０，１０１    内部ＲＯＭ（内部メモリ）
１２    ＣＰＵ（ファームウェア選択判定手段、外部ファームウェア有無判定手段、外部ファームウェア使用設定手段、内部ファームウェア使用設定手段、リセット手段、選択ファームウェア判定手段、ファームウェア切換手段）
１９，１０３    外部ＲＯＭ（外部メモリ）
２０，１０２    外部メモリスロット（外部メモリ接続手段）
１００    電気機器
【図１】
2008262254.tif 000003
【図２】
2008262254.tif 000004
【図３】
2008262254.tif 000005
【図４】
2008262254.tif 000006
【図５】
2008262254.tif 000007